(57)【要約】【課題】バッテリの残量が観察・診断継続するのに不十分であることを使用者に確実に報知する。【解決手段】体内に挿入される挿入部の先端部から照明光を照射して観察対象の画像を取り込む内視鏡本体と，この内視鏡本体に脱着自在な電源ユニットとを備えた内視鏡装置であって，電源ユニット１０４は，電源１２４と，この電源の出力電圧が所定電圧以下になると警告信号Ｓ１００を出力する出力電圧監視手段１４８と，この出力電圧監視手段から警告信号が出力されると照明光を変更させる照明光変更手段１５０と，を設けたことを特徴とし，このとき照明光変更手段は，警告信号が出力されると，例えばフィルタ１５６により電源ユニットに備わる光源の光を変更することによって，内視鏡本体の先端部からの照明光を変更する。【選択図】    図４
2004298353.tif 000002
【特許請求の範囲】
【請求項１】
体内に挿入される挿入部の先端部から照明光を照射して観察対象の画像を取り込む内視鏡本体と，この内視鏡本体に脱着自在な電源ユニットとを備えた内視鏡装置であって，
前記電源ユニットは，電源と，
前記電源の出力電圧が所定電圧以下になると警告信号を出力する出力電圧監視手段と，
前記出力電圧監視手段から警告信号が出力されると前記照明光を変更させる照明光変更手段と，
を設けたことを特徴とする，内視鏡装置。
【請求項２】
前記電源ユニットは，前記照明光の光源を備え，
前記照明光変更手段は，前記警告信号が出力されるとフィルタにより前記光源の光を変更することによって，前記内視鏡本体の先端部からの照明光を変更することを特徴とする，請求項１に記載の内視鏡装置。
【請求項３】
前記フィルタは，有色フィルタであることを特徴とする，請求項１又は２に記載の内視鏡装置。
【請求項４】
前記電源ユニットは，前記照明光の照度が異なる複数の光源を備え，
前記照明光変更手段は，前記光源を前記警告信号により変更することを特徴とする，請求項１に記載の内視鏡装置。
【請求項５】
前記照明光の光源は，前記先端部に備わる複数のＬＥＤであり，これらＬＥＤは，接続導線を介して，前記電源ユニットに接続され，
前記照明光変更手段は，前記警告信号により前記接続導線との接続を変更することを特徴とする，請求項１に記載の内視鏡装置。
【発明の詳細な説明】
【０００１】
【発明の属する技術分野】
本発明は，内視鏡装置にかかり，特に携帯可能なバッテリ式の内視鏡装置に関する。
【０００２】
【従来の技術】
医療用分野において広く使用されている内視鏡は，検査対象部位が生体内部であるので，この検査対象部位を照明する手段が必要である。このため，一般的な内視鏡装置では，内視鏡の外部装置として光源装置を用意し，この光源装置内の光源であるランプからの照明光を内視鏡に設けたライトガイドファイバに導光し，このライトガイドファイバで導光された照明光を挿入部の先端側の照明窓から出射して検査対象部位を照明する構成になっている。上記の光源装置は，一般的には商用電源から供給される電源を利用して光源装置内部のランプを発光させるものである。
【０００３】
これに対し，光源がＬＥＤであり，かつ先端部に設けられ，さらに電源に乾電池等のバッテリを用いたバッテリ型電源を内視鏡操作部に着脱自在に装着可能にしたものが開示されている（例えば，特許文献１参照）。このようなバッテリ型電源が取り付けられる内視鏡は，持ち運びが容易であると共に，電源の無い所での使用が可能になるので緊急時，例えば救急車内での使用等に適している。
【０００４】
しかし，上記のバッテリ型電源は，バッテリの消耗により，患者の体内に内視鏡挿入部が挿入されたまま，照明光が消えてしまい，患者の体内を観察できない状態となる虞があった。また，照明切れによる観察画像の途切れた状態で患者の体内から挿入部を抜き取ると，患者の体内を痛める虞があり危険である。
【０００５】
このため，バッテリの消耗を感知し，バッテリ残量をバッテリ型電源に設けた液晶表示画面に表示することにより，バッテリ残量の確認を可能にしたものが開示されている（例えば，特許文献２参照）。また，バッテリの消耗を感知し，バッテリ切れを感知すると，操作部に設けられた警告表示灯に備わる警告用ＬＥＤで報知し，内視鏡装置に備わる補助電源に切り換わるものが開示されている（例えば，特許文献３参照）。これらの内視鏡装置を使用することにより，内視鏡装置を使用中でのバッテリ切れを防止することができる。
【０００６】
また，内視鏡使用時における観察画像内に異常値等を報知する内視鏡装置として，この内視鏡装置に備わる画像表示装置に患者体内の内視画像と共に患者の生態情報が重ねて又は隣接して表示されるものもある（例えば，特許文献４参照）。
【０００７】
【特許文献１】
特開平１１−９５４８号公報
【特許文献２】
特開２００１−１６６２２２号公報
【特許文献３】
特開２００３−０２１７９２号公報
【特許文献４】
特開平８−２５６９６８号公報
【０００８】
【発明が解決しようとする課題】
しかしながら，上記の特許文献２及び３に開示された内視鏡装置においては，内視鏡を操作する術者は，画像表示装置の画面に表示された内視画像に注意を集中させていることから，画像表示装置の画面に表示された内視画像以外の部分で表示されるバッテリ残量を常に注意できるわけではないので，内視鏡装置使用中でのバッテリ切れに気付くのが遅れる虞があった。
【０００９】
また，上記の特許文献４に開示された内視鏡装置においては，画像表示装置の画面内に生体情報値が表示されるが，内視鏡を操作する術者は，画像表示装置の画面に表示された内視画像の内，観察部位に注意を集中させていることから，画像表示装置の画面の一部に表示された生体情報値の異常値に常に注意できるわけではないので，生体情報値の異常に気付くのが遅れる虞があった。
【００１０】
本発明は，従来の内視鏡装置が有する上記問題点に鑑みてなされたものであり，本発明の目的は，バッテリの消耗を確実に使用者へ報知することの可能な，新規かつ改良された内視鏡装置を提供することである。
【００１１】
【課題を解決するための手段】
上記課題を解決するために，本発明のある観点によれば，体内に挿入される挿入部の先端部から照明光を照射して観察対象の画像を取り込む内視鏡本体と，この内視鏡本体に脱着自在な電源ユニットとを備えた内視鏡装置であって，電源ユニットは，電源と，この電源の出力電圧が所定電圧以下になると警告信号を出力する出力電圧監視手段と，この出力電圧監視手段から警告信号が出力されると照明光を変更させる照明光変更手段と，を設けたことを特徴とする，内視鏡装置が提供される。
【００１２】
このとき，電源ユニットは，照明光の光源を備え，照明光変更手段は，警告信号が出力されるとフィルタにより光源の光を変更することによって，内視鏡本体の先端部からの照明光を変更することとし，前述のフィルタは，具体的には青色等の有色フィルタであることとしてもよい。
【００１３】
また，このとき，電源ユニットは，照明光の照度が異なる複数の光源を備え，照明光変更手段は，上記の光源を警告信号により変更することとしてもよい。
【００１４】
さらに，このとき，照明光の光源は，先端部に備わる複数のＬＥＤであり，これらＬＥＤは，接続導線を介して，電源ユニットに接続され，照明光変更手段は，警告信号により接続導線との接続を変更することとしてもよい。
【００１５】
このような本発明にかかる内視鏡装置によれば，照明光を変更させることにより，この照明光に照射される観察対象を写し出す観察画面自体を変化させることができるので，バッテリの消耗により，このバッテリの残量，換言すると出力電圧が観察・診断継続するのに不十分であることが，使用者に確実に報知することが可能となる。
【００１６】
また，照明光を変更させることにより，観察・診断に不適切な観察画像となるため，使用者は，内視鏡を抜かざるを得ず，この観察画像が途切れることによる患者への危険を回避することができる。
【００１７】
さらに，照明光を変更させることにより，観察・診断に不適切な観察画像となるものの，内視鏡挿入部を患者の体内から抜去するのには，十分な観察画像を保てるため，挿入部抜去の際に，患者に苦痛を与える虞も解決される。
【００１８】
【発明の実施の形態】
以下に添付図面を参照しながら，本発明にかかる装置の好適な実施の形態について詳細に説明する。なお，本明細書及び図面において，実質的に同一の機能構成を有する構成要素については，同一の符号を付することにより重複説明を省略する。
【００１９】
（第１の実施の形態）
まず，本発明の第１の実施の形態の内視鏡装置の構成について，図面を用いて説明する。図１は，本実施形態にかかる携帯用のバッテリ式の内視鏡装置の外観図であり，図２は，本実施形態の内視鏡装置の接眼部側からの正面図であり，図３は，本実施形態の内視鏡装置の挿入部の先端部側からの正面図である。
【００２０】
本実施形態の内視鏡装置１００は，内視鏡本体１０２を機能させるための電源を備える電源ユニット１０４が，この内視鏡本体１０２に対して脱着自在な携帯用のバッテリ式内視鏡装置である。
【００２１】
図１に示すように，内視鏡装置１００は，体腔内等へ挿入される挿入部１０６と，この挿入部１０６の湾曲操作や送気／送水，吸引等の操作をする操作部１０８とを備える。
【００２２】
挿入部１０６は，操作部１０８への連設部からの大半は，挿入経路に沿って任意の方向に曲がる軟性部１１０であり，この軟性部１１０の先端には，アングル部１１２が，このアングル部１１２の先端には，先端部１１４が順次連結されている。アングル部１１２は，先端部１１４を所望の方向に向けるために設けられるものである。
【００２３】
この操作部１０８には，鉗子等の処置具を導入する処置具挿入口１１６が設けられる。また，この操作部１０８には，上記挿入部１０６の先端部１１４を所望の方向に向けるためにアングル部１１２を湾曲操作するためのアングルつまみ部１１８と，このアングルつまみ部１１８の回動範囲を制限するためのロックレバー１２０が設けられている。さらに，操作部１０８の基端には，先端部１１４から撮像された観察画像を見るための接眼部１２２が設けられている。
【００２４】
また，本実施形態の内視鏡装置１００では，図２に示すように，上記の操作部１０８の長手方向の軸線（内視鏡本体１０２の軸線）に対し垂直の方向で，かつアングルつまみ部１１８の反対側に，略円錐台形状の電源ユニット１０４が設けられ，この電源ユニット１０４内に内視鏡装置１００の電源となるバッテリ１２４が配置される。このバッテリ１２４として，リチウムイオン電池，ニッケルカドニウム（ＮｉＣｄ）電池，ニッケル水素（ＮｉＭＨ）電池等が使用される。もちろん，これらのバッテリ１２４の代りに２次電池を使用してもよい。
【００２５】
この電源ユニット１０４は，上記アングルつまみ部１１８の反対側に配置することで，内視鏡装置１００のバランスを取る役目をすると共に，手で内視鏡本体１０２（又は操作部１０８）を把持するためのグリップ部として，又は操作部１０８を把持したときの指掛け部として機能することになる。なお，電源ユニット１０４の詳細な構成及び作用については，後述するものとする。
【００２６】
上記挿入部１０６の先端部１１４の先端面には，図３に示すように，上記処置具挿入口（鉗子口）１１６に処置具挿通チャンネル（図示せず。）を介して連通する鉗子口１２６，被検体の画像を取り込む観察系の一部である観察窓１２８，この観察窓１２８等の汚れを洗浄するために，観察窓１２８へ向けて送気／送水をする送気／送水ノズル１３０が設けられている。また，この先端面の外周には，被検体に向けて照明光を発する照明系の一部である照明窓１３２が例えば６個，等間隔に配置される。
【００２７】
次に，本実施の形態の内視鏡装置１００における内視鏡本体１０２に接続される電源ユニット１０４の構成について図面を参照しながら説明する。図４は，本実施形態における内視鏡装置１００の全体構成図であり，図５は，電源ユニット１０４に設けられたフィルタ部１３４の平面図であり，図６は，本実施形態における通常観察時および警告時における観察画像の様子を例示する図である。
【００２８】
図４に示すように，内視鏡本体１０２に備わる挿入部１０６の先端側に有する先端部１１４には，観察窓１２８を備える対物光学系１３６が設けられ，この対物光学系１３６は，イメージガイド１３８を介して操作部１０８の基端に設けられた接眼部１２２に接続されている。
【００２９】
また，先端部１１４には，照明窓１３２が設けられ，この照明窓１３２は，ライトガイド１４０を介して内視鏡本体１０２の操作部１０８に設けられた電源ユニット１０４との接続部１４２に接続されている。この接続部１４２を介して，電源ユニット１０４に備わる光源１４４に接続される。換言すると，本実施形態の内視鏡装置１００は，内視鏡本体１０２と別体となる電源ユニット１０４に備わる光源１４４からの光がライトガイド１４０を介して先端部１１４に備わる照明窓１３２へ導かれる。なお，本実施形態では，光源１４４は，例えばハロゲンランプやキセノンランプ等のランプである。
【００３０】
次に，本実施形態における電源ユニット１０４の構成，及び作用について説明する。図４に示したように，バッテリ１２４からの出力電圧が発光制御部１４６を介して光源１４４に供給される。それによって，光源１４４が発光され，上記の接続部１４２，ライトガイド１４０を介して先端部１１４に備わる照明窓１３２から照明光が照射される。
【００３１】
また，本実施形態では，上記のバッテリ１２４の残量を検知し，このバッテリ１２４の出力電圧が，光源１４４の発光作用が一定時間以上の継続が不可能となる所定電圧以下になった場合に，警告信号Ｓ１００を出力する出力電圧監視手段１４８が電源ユニット１０４に設けられている。この出力電圧監視手段１４８から出力された警告信号Ｓ１００は，上記光源１４４からの照明光を変更させるための照明光変更手段１５０に送信される。
【００３２】
次に本実施形態における照明光変更手段１５０の構成について説明する。本実施形態では，バッテリ１２４が所定電圧以下になった場合，換言するとバッテリ切れの警告信号Ｓ１００が上記出力電圧監視手段１４８から発信されると，光源１４４と上記の接続部１４２との間に，照明光変更手段１５０に設けられたフィルタ部１３４に備わる，例えば青色等の有色のフィルタ１５６が外挿される。
【００３３】
本実施形態にかかるフィルタ部１３４は，図５に示すように，駆動軸１５８を中心にフィルタ１５６が回動する構成となっている。フィルタ部１３４は，上記出力電圧監視手段１４８からバッテリ切れの警告信号Ｓ１００をフィルタ制御部１５２が受信することにより，駆動軸１５８を駆動させるフィルタ駆動部１５４を介して作動する。
【００３４】
本実施形態では，出力電圧監視手段１４８からバッテリ切れの警告信号Ｓ１００が発信されると，光源１４４と上記の接続部１４２との間に，フィルタ部１３４に備わる，例えば青色等の有色のフィルタ１５６が外挿されることにより，光源１４４からの光が変更され，内視鏡本体１０２の先端部１１４からの照明光が変更される。
【００３５】
このため，図６に示すように，通常観察時における照明光に照射される観察対象１６０を写し出す観察画面自体が，バッテリ切れの警告時には，観察画面自体が例えば青色のフィルタ１５６により全体的に暗くなるように変化させることができる。それによって，バッテリ１２４の消耗により，このバッテリ１２４の残量，換言すると出力電圧が観察・診断継続するのに不十分であることが，接眼部１２２から観察している使用者に確実に報知することができる。ただし，観察画面は，全体的に暗くはなるものの，内視鏡挿入部１０６を患者の体内から抜去するのには，十分な明るさである。
【００３６】
また，上記のように照明光が変更されることにより観察画面が全体的に暗くなることにより，使用者にとって観察・診断に不適切な観察画像となるので，使用者は，内視鏡本体１０２の挿入部１０６を患者の体内から抜かざるを得ず，この観察画像が途切れることによる患者への危険を回避することができる。
【００３７】
さらに，照明光を変更させることにより，観察・診断に不適切な観察画像となるものの，内視鏡挿入部１０５を患者の体内から抜去するのには，十分な観察画像を保てるため，挿入部１０６を抜去する際に，患者に苦痛を与える虞も解決される。
【００３８】
（第２の実施の形態）
本発明の第２の実施の形態にかかる内視鏡装置２００について，図面を参照しながら説明する。本実施形態にかかる内視鏡装置の全体外観図は，図１と同様であり，本実施形態の内視鏡装置２００の接眼部２２２側からの正面図は，図２と同様であり，本実施形態の内視鏡装置２００の挿入部２０６の先端部２１４側からの正面図は，図３と同様である。
【００３９】
次に，本発明の第２の実施の形態の内視鏡装置２００における内視鏡本体２０２に接続される電源ユニット２０４の構成について図面を参照しながら説明する。図７は，本実施形態における内視鏡装置２００の全体構成図であり，図８は，本実施形態における通常観察時および警告時における観察画像の様子を例示する図である。
【００４０】
図７に示すように，本実施形態の内視鏡装置２００の内視鏡本体２０２は，第１の実施の形態と同様に，内視鏡本体２０２に備わる挿入部２０６の先端側に有する先端部２１４には，観察窓２２８を備える対物光学系２３６が設けられ，この対物光学系２３６は，イメージガイド２３８を介して操作部２０８の基端に設けられた接眼部２２２に接続されている。
【００４１】
また，先端部２１４には，照明窓２３２が設けられ，この照明窓２３２は，ライトガイド２４０を介して内視鏡本体２０２の操作部２０８に設けられた電源ユニット２０４との接続部２４２に接続されている。この接続部２４２は，光ファイバ等で形成される採光手段２４３を介して，電源ユニット２０４に備わる光源２４４に接続される。
【００４２】
本実施形態における電源ユニット２０４には，光源２４４としてハロゲンランプやキセノンランプ等のランプ２４４ａと，このランプ２４４ａより光量が少ないことにより照度が小さいＬＥＤ２４４ｂが設けられ，双方の光源２４４ａ，２４４ｂの一方からの光がライトガイド２４０を介して先端部２１４に備わる照明窓２３２へ導かれる。なお，これら光源２４４ａ，２４４ｂの変更動作については，後述するものとする。
【００４３】
次に，本実施形態における電源ユニット２０４の構成，及び作用について説明する。図７に示したように，バッテリ２２４からの出力電圧が発光制御部２４６を介して光源２４４に供給される。それによって，光源２４４が発光され，上記の採光手段２４３，接続部２４２，及びライトガイド２４０を介して先端部２１４に備わる照明窓２３２から照明光が照射される。
【００４４】
また，本実施形態では，第１の実施の形態と同様に，上記のバッテリ２２４の残量を検知し，このバッテリ２２４の出力電圧が，光源２４４の発光作用が一定時間以上の継続が不可能となる所定電圧以下になった場合に，警告信号Ｓ２００を出力する出力電圧監視手段２４８が電源ユニット２０４に設けられている。この出力電圧監視手段２４８から出力された警告信号Ｓ２００は，上記光源２４４からの照明光を変更させるための照明光変更手段２５０に送信される。
【００４５】
次に本実施形態における照明光変更手段２５０の構成について説明する。本実施形態では，バッテリ２２４が所定電圧以下になった場合，換言するとバッテリ切れの警告信号Ｓ２００が上記の出力電圧監視手段２４８から発信され，光源変更手段２５２に送信されると，この光源変更手段２５２により光源２４４が照明用のランプ２４４ａから警告用のＬＥＤ２４４ｂに変更される。
【００４６】
本実施形態では，出力電圧監視手段２４８からバッテリ切れの警告信号Ｓ２００が発信されると，光源変更手段２５２により光源２４４がランプ２４４ａからＬＥＤ２４４ｂに変更されることにより，光源２４４からの光が変更され，内視鏡本体２０２の先端部２１４からの照明光が変更される。
【００４７】
このため，図８に示すように，通常観察時における照明光に照射される観察対象１６０を写し出す観察画面自体が，バッテリ切れの警告時には，光源２４４がランプ２４４ａから光量の少ないＬＥＤ２４４ｂに変更されることにより，観察画面自体が全体的に暗くなるように変化させることができる。それによって，バッテリ２２４の消耗により，このバッテリ２２４の残量，換言すると出力電圧が観察・診断継続するのに不十分であることが，接眼部２２２から観察している使用者に確実に報知することができる。ただし，観察画面は，全体的に暗くはなるものの，内視鏡挿入部２０６を患者の体内から抜去するのには，十分な明るさである。
【００４８】
また，第１の実施の形態と同様に，上記のように照明光が変更されると観察画面が全体的に暗くなることにより，使用者にとって観察・診断に不適切な観察画像となるので，使用者は，内視鏡本体２０２の挿入部２０６を患者の体内から抜かざるを得ず，この観察画像が途切れることによる患者への危険を回避することができる。
【００４９】
さらに，照明光を変更させることにより，観察・診断に不適切な観察画像となるものの，内視鏡挿入部２０５を患者の体内から抜去するのには，十分な観察画像を保てるため，挿入部２０６を抜去する際に，患者に苦痛を与える虞も解決される。
【００５０】
（第３の実施の形態）
本発明の第３の実施の形態にかかる内視鏡装置３００について，図面を参照しながら説明する。本実施形態にかかる内視鏡装置３００の全体外観図は，図１と同様であり，本実施形態の内視鏡装置３００の接眼部３２２側からの正面図は，図２と同様である。
【００５１】
次に，本発明の第３の実施の形態の内視鏡装置３００における内視鏡本体３０２に接続される電源ユニット３０４の構成について図面を参照しながら説明する。図９は，本実施形態における内視鏡装置３００の全体構成図であり，図１０は，本実施形態における内視鏡本体３０２の先端部３１４の先端面の概略正面図であり，図１１は，本実施形態における通常観察時および警告時における観察画像の様子を例示する図である。なお，図１０においては，観察窓洗浄用のノズル部及び処置具を通す鉗子口は，省略されているものとする。
【００５２】
図９に示すように，本実施形態の内視鏡装置３００の内視鏡本体３０２は，第１及び第２の実施の形態と同様に，内視鏡本体３０２に備わる挿入部３０６の先端側に有する先端部３１４には，観察窓３２８を備える対物光学系３３６が設けられ，この対物光学系３３６は，イメージガイド３３８を介して操作部３０８の基端に設けられた接眼部３２２に接続されている。
【００５３】
また，本実施形態では，光源となるＬＥＤ３３２ａ，３３２ｂが先端部３１４に設けられている。このＬＥＤ３３２ａ，３３２ｂは，接続導線３４０ａ，３４０ｂを介して内視鏡本体３０２の操作部３０８に装着される電源ユニット３０４との接続部３４２ａ，３４２ｂに接続されている。この接続部３４２ａ，３４２ｂは，電源ユニット３０４に備わる導線接続部３４４，発光制御部３４６を介して，バッテリ３２４に接続される。換言すると，本実施形態の内視鏡装置３００は，内視鏡本体３０２の先端部３１４に光源となるＬＥＤ３３２ａ，３３２ｂが設けられ，これらＬＥＤ３３２ａ，３３２ｂが観察対象を直接照射する。
【００５４】
本実施形態における光源として使用されるＬＥＤ３３２ａ，３３２ｂは，図１０に示すように，通常観察時に使用する照明用ＬＥＤ３３２ａと，バッテリ切れを警告する警告時に使用する警告用ＬＥＤ３３２ｂとが観察窓３２８の周囲に複数設けられている。このとき，これら照明用ＬＥＤ３３２ａと，警告用ＬＥＤ３３２ｂは，異なる色の発光素子とする。例えば，照明用ＬＥＤ３３２ａは，観察画像が自然色となるようにするために白色のＬＥＤとし，警告用ＬＥＤ３３２ｂは，観察画像が青色となるようにするために青色のＬＥＤとする。なお，これら光源となるＬＥＤ３３２ａ，３３２ｂの変更動作については，後述するものとする。
【００５５】
次に，本実施形態における電源ユニット３０４の構成，及び作用について説明する。図９に示したように，バッテリ３２４からの出力電圧が発光制御部３４６を介して導線接続部３４４に供給される。そして，通常観察時では，導線接続部３４４から接続部３４２ａ，接続導線３４０ａを介して先端部３１４に備わる照明用ＬＥＤ３３２ａに接続される。それによって，光源となる照明用ＬＥＤ３３２ａから照明光が照射される。
【００５６】
また，本実施形態では，第１及び第２の実施の形態と同様に，上記のバッテリ３２４の残量を検知し，このバッテリ３２４の出力電圧が，光源となる照明用ＬＥＤ３３２ａの発光作用が一定時間以上の継続が不可能となる所定電圧以下になった場合に，警告信号Ｓ３００を出力する出力電圧監視手段３４８が電源ユニット３０４に設けられている。この出力電圧監視手段３４８から出力された警告信号Ｓ３００は，上記光源となる照明用ＬＥＤ３３２ａからの照明光を警告用３３２ｂからの照明光に変更させるための照明光変更手段３５０に送信される。
【００５７】
次に本実施形態における照明光変更手段３５０の構成について説明する。本実施形態では，バッテリ３２４が所定電圧以下になった場合，換言するとバッテリ切れの警告信号Ｓ３００が上記出力電圧監視手段３４８から発信され，接続導線変更手段３５２に送信されると，この接続導線変更手段３５２により，導線接続部３４４に接続される内視鏡本体３０２に備わる接続部３４２ａは，照明用ＬＥＤ３３２ａに導通される接続導線３４０ａと接続される接続部３４２ａから警告用ＬＥＤ３３２ｂに導通される接続導線３４０ｂと接続される接続部３４２ｂに変更される。
【００５８】
本実施形態では，出力電圧監視手段３４８からバッテリ切れの警告信号Ｓ３００が発信されると，接続導線変更手段３５２によりバッテリ３２４から接続される導線が照明用ＬＥＤ３３２ａに導通する接続導線３４０ａから警告用ＬＥＤに導通する接続導線３４０ｂへ変更されることにより，光源が変更され，内視鏡本体３０２の先端部３１４からの照明光が変更される。
【００５９】
このため，図１１に示すように，通常観察時における照明用ＬＥＤ３３２ａからの照明光に照射される観察対象１６０を写し出す観察画面自体が，バッテリ切れの警告時には，光源が青色の警告用ＬＥＤ３３２ｂに変更されることにより，観察画面自体が全体的に青色画像になるように変化させることができる。それによって，バッテリ３２４の消耗により，このバッテリ３２４の残量，換言すると出力電圧が観察・診断継続するのに不十分であることが，接眼部３２２から観察している使用者に確実に報知することができる。ただし，観察画面は，観察画像全体の色が変わるものの，内視鏡挿入部３０６を患者の体内から抜去するのには，十分な明るさである。
【００６０】
また，第１及び第２の実施の形態と同様に，上記のように照明光が変更されると観察画面の全体的な色が変化することにより，使用者は，バッテリ切れの警告を見逃すことがなくなるので，使用者は，内視鏡本体３０２の挿入部３０６を患者の体内から抜き，この観察画像が途切れることによる患者への危険を回避することができる。
【００６１】
さらに，照明光を変更させることにより，観察画像全体の色が変わるものの，内視鏡挿入部３０５を患者の体内から抜去するのには，十分な観察画像を保てるため，挿入部３０６を抜去する際に，患者に苦痛を与える虞も解決される。
【００６２】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００６３】
例えば，第１の実施の形態では，外挿されるフィルタの色が青色であるが，このフィルタの色は，他の色，例えば赤色や緑色のフィルタとしてもよい。
【００６４】
また，第３の実施の形態では，警告用ＬＥＤを青色としたが，この警告用ＬＥＤの色は，例えば緑色等の他の色にも変更可能である。
【００６５】
さらに，上記の各実施形態では，観察系でイメージガイドを採用した内視鏡装置について述べたが，必ずしもこれに限定されるものではなく，固体撮像素子を採用した電子内視鏡装置にも適用可能である。
【００６６】
【発明の効果】
以上詳述したように本発明によれば，照明光を変更させることにより，この照明光に照射される観察対象を写し出す観察画面自体を変化させることができるので，バッテリの消耗により，このバッテリの残量が観察・診断継続するのに不十分であることが，使用者に確実に報知することが可能となる。
【図面の簡単な説明】
【図１】図１は，第１の実施の形態にかかる携帯用のバッテリ式の内視鏡装置の外観図である。
【図２】図２は，同実施形態の内視鏡装置の接眼部側からの正面図である。
【図３】図３は，同実施形態の内視鏡装置の挿入部の先端部側からの正面図である。
【図４】図４は，同実施形態における内視鏡装置の全体構成図である。
【図５】図５は，同実施形態における電源ユニットに設けられたフィルタ部の平面図である。
【図６】図６は，同実施形態における通常観察時および警告時における観察画像の様子を例示する図である。
【図７】図７は，第２の実施の形態における内視鏡装置の全体構成図である。
【図８】図８は，同実施形態における通常観察時および警告時における観察画像の様子を例示する図である。
【図９】図９は，第３の実施の形態における内視鏡装置の全体構成図である。
【図１０】図１０は，同実施形態の内視鏡装置の先端部側からの正面図である。
【図１１】図１１は，同実施形態における通常観察時および警告時における観察画像の様子を例示する図である。
【符号の説明】
１００，２００，３００    内視鏡装置
１０２，２０２，３０２    内視鏡本体
１０４，２０４，３０４    電源ユニット
１０６，２０６，３０６    挿入部
１０８，２０８，３０８    操作部
１１４，２１４，３１４    先端部
１２２，２２２，３２２    接眼部
１２４，２２４，３２４    バッテリ
１２８，２２８，３２８    観察窓
１３２，２３２    照明窓
１３４    フィルタ部
１３６，２３６，３３６    対物光学系
１３８，２３８，３３８    イメージガイド
１４０，２４０    ライトガイド
１４２，２４２    接続部
１４４，２４４    光源
１４６，２４６，３４６    発光制御部
１４８，２４８，３４８    出力電圧監視手段
１５０，２５０，３５０    照明光変更手段
１５２    フィルタ制御部
１５４    フィルタ駆動部
２４３    採光手段
２５２    光源変更手段
３４４    導線接続部
３５２    接続導線変更手段
Ｓ１００，Ｓ２００，Ｓ３００    警告信号
【図１】
2004298353.tif 000003
【図２】
2004298353.tif 000004
【図３】
2004298353.tif 000005
【図４】
2004298353.tif 000006
【図５】
2004298353.tif 000007
【図６】
2004298353.tif 000008
【図７】
2004298353.tif 000009
【図８】
2004298353.tif 000010
【図９】
2004298353.tif 000011
【図１０】
2004298353.tif 000012
【図１１】
2004298353.tif 000013